(57)【特許請求の範囲】
【請求項１】
光を透過する基材と、
前記基材の裏面に形成され、前記基材の表面側に表示される表示パターンに基づいて形成された溝部と、
前記溝部が形成されていない前記裏面と前記溝部の側面に形成され、前記裏面からの光を遮光する遮光膜と、
前記溝部の上面の前記遮光膜が形成されていない領域であって光を透過する透過領域と、
少なくとも前記透過領域に形成された金属膜と、
を備えた表示パネル。
【請求項２】
前記金属膜は、光を透過する、
請求項１に記載の表示パネル。
【請求項３】
前記遮光膜は、前記基材の前記表面から入射する光の反射を抑制する、
請求項１又は２に記載の表示パネル。
【請求項４】
表示パターンに基づいて基材の裏面に溝部を形成し、
光を遮光する遮光膜の材料を前記裏面に塗布して前記裏面と前記溝部上に前記遮光膜を形成し、
前記溝部の上面の前記遮光膜を除去して光を透過する透過領域を形成し、
少なくとも前記透過領域に金属膜を形成する、
表示パネルの製造方法。
【発明の詳細な説明】
【技術分野】
【０００１】
本発明は、表示パネル及びその製造方法に関する。
【背景技術】
【０００２】
従来の技術として、裏面の所定領域に、平坦部と、周辺に該平坦部を残して彫刻状に形成された刻設凹部により図柄を形成した透明性を有する合成樹脂成形品が知られている（例えば、特許文献１参照。）。
【０００３】
この加飾合成樹脂成形品は、刻設凹部を除いた平坦部に塗装膜と蒸着膜とインモールド転写膜から選ばれる少なくとも１層の膜からなる第１の加飾層を有し、該第１の加飾層に重ねて平坦部と刻設凹部を含む所定領域全体に塗装膜と蒸着膜から選ばれる少なくとも１層の膜からなる第２の加飾層を有する。
【先行技術文献】
【特許文献】
【０００４】
【特許文献１】特開２００９−１３２０９９号公報
【発明の概要】
【発明が解決しようとする課題】
【０００５】
しかし、従来の加飾合成樹脂成形品は、表面又は裏面から入射した光が該設凹部の側面及び上面の第２の加飾層に反射、又は透過して図柄がぼやける可能性がある。
【０００６】
従って本発明の目的は、優れた立体的な金属調の加飾を作成することができる表示パネル及びその製造方法を提供することにある。
【課題を解決するための手段】
【０００７】
本発明の一態様は、光を透過する基材と、基材の裏面に形成され、基材の表面側に表示される表示パターンに基づいて形成された溝部と、溝部が形成されていない裏面と溝部の側面に形成され、裏面からの光を遮光する遮光膜と、溝部の上面の遮光膜が形成されていない領域であって光を透過する透過領域と、少なくとも透過領域に形成された金属膜と、を備えた表示パネルを提供する。
【０００８】
本発明の他の一態様は、表示パターンに基づいて基材の裏面に溝部を形成し、光を遮光する遮光膜の材料を裏面に塗布して裏面と溝部上に遮光膜を形成し、溝部の上面の遮光膜を除去して光を透過する透過領域を形成し、少なくとも透過領域に金属膜を形成する、表示パネルの製造方法。
【発明の効果】
【０００９】
本発明によれば、優れた立体的な金属調の加飾を作成することができる。
【図面の簡単な説明】
【００１０】
【図１】図１（ａ）は、実施の形態に係る表示パネルの一例を示す概略図であり、図１（ｂ）は、表示パネルの図１（ａ）に示すI（ｂ）−I（ｂ）線で切断した断面を矢印方向から見た断面図の一例である。
【図２】図２（ａ）〜図２（ｄ）は、実施の形態に係る表示パネルの製造工程の一例を示す概略図である。
【発明を実施するための形態】
【００１１】
（実施の形態の要約）
実施の形態に係る表示パネルは、光を透過する基材と、基材の裏面に形成され、基材の表面側に表示される表示パターンに基づいて形成された溝部と、溝部が形成されていない裏面と溝部の側面に形成され、裏面からの光を遮光する遮光膜と、溝部の上面の遮光膜が形成されていない領域であって光を透過する透過領域と、少なくとも透過領域に形成された金属膜と、を備えて概略構成されている。
【００１２】
この表示パネルは、表示パターンの背景となる裏面の遮光膜と、表示パターンとなる透過領域の金属膜との距離が離れているので、立体的な加飾が得られる。また表示パネルは、遮光膜が溝部の側面に形成されているので、基材の表面又は裏面から入射する光が側面で反射、又は側面を透過するのを抑制し、側面に遮光膜がない場合と比べて、透過領域に形成された金属膜の輪郭、つまり表示パターンの輪郭がはっきりとして優れた立体的な金属調の加飾が得られる。
【００１３】
[実施の形態]
（表示パネル１の概要）
図１（ａ）は、実施の形態に係る表示パネルの一例を示す概略図であり、図１（ｂ）は、表示パネルの図１（ａ）に示すI（ｂ）−I（ｂ）線で切断した断面を矢印方向から見た断面図の一例である。なお、以下に記載する実施の形態に係る各図において、図形間の比率は、実際の比率とは異なる場合がある。
【００１４】
表示パネル１は、一例として、電子機器の機能などが表示された表示パネル、タッチ操作やプッシュ操作が行われるスイッチのキートップ、なぞり操作やタッチ操作などが行われるタッチセンサ装置の操作パネルなどとして用いられる。
【００１５】
表示パネル１は、図１（ａ）及び図１（ｂ）に示すように、光を透過する基材としてのパネル２と、パネル２の裏面２１に形成され、パネル２の表面２０側に表示される表示パターン１００に基づいて形成された溝部２２と、溝部２２が形成されていない裏面２１と溝部２２の側面２３に形成され、裏面２１からの光を遮光する遮光膜３と、溝部２２の上面２４の遮光膜３が形成されていない領域であって光を透過する透過領域１５と、少なくとも透過領域１５に形成された金属膜４と、を備えて概略構成されている。
【００１６】
なお光が透過するとは、一例として、光の透過率が７０％以上である物体内を光が通過して出射することを示している。また光を遮光するとは、一例として、光の透過率が１％以下である物体によって光の強さが弱められることを示している。この光は、照明光であっても自然光であっても良い。
【００１７】
（パネル２の構成）
パネル２は、例えば、透過率が高い、ポリカーボネート（ＰＣ）、ポリメチルメタクリレート（ＰＭＭＡ）などの樹脂、又はガラスなどによって板形状に形成されている。
【００１８】
このパネル２の裏面２１には、表示パターン１００に沿って溝部２２が形成されている。この溝部２２の側面２３には、遮光膜３が形成されている。この側面２３の遮光膜３は、側面２３から光がパネル２の方に漏れることを抑制し、表示パターン１００がぼやけたり、金属膜４による光沢が損なわれたりすることを抑制している。
【００１９】
この溝部２２の上面２４の遮光膜３は、除去されている。この除去は、溝部２２の上面２４に透過領域１５を形成し、パネル２の上面視において金属膜４が視認されるようにするために行われる。
【００２０】
本実施の形態の金属膜４は、光を透過するので、パネル２の表面２０側から入射した光５は、図１（ｂ）に示すように、ほとんどが遮光膜３に吸収されるものの一部が金属膜４によって反射してパネル２から出射し、裏面２１側から入射した光５は、ほとんどが遮光膜３で遮光されるものの透過領域１５の金属膜４を介してパネル２から出射する。
【００２１】
（遮光膜３の構成）
遮光膜３は、パネル２の表面２０側からの光、及び裏面２１側からの光をほぼ吸収するように構成されている。従って図１（ａ）に示す背景１０１は、この遮光膜３により形成される。
【００２２】
遮光膜３は、一例として、黒色である。そして遮光膜３は、一例として、ウレタンアクリルレート系やエポキシアクリルレート系などの材料を塗布して形成される。溝部２２の上面２４に形成された遮光膜３は、一例として、レーザーによって除去される。
【００２３】
（金属膜４の構成）
上述のように、本実施の形態の金属膜６は、光が透過するように構成されている。金属膜６は、一例として、アルミニウムなどの金属材料を膜厚が薄くなるように蒸着して透過率を高めている。
【００２４】
なお変形例として金属膜４は、透過率が高いインジウム、スズなどの金属、透明電極などに用いられる酸化亜鉛（ＺｎＯ）、酸化インジウムスズ（ＩＴＯ）などを蒸着して形成されても良い。
【００２５】
ここで表示パネル１が静電容量方式のタッチセンサ装置の電極の上方に配置され、表示パネル１の表面２０が操作面となる場合、透明電極の材料による金属膜４は適さない。
【００２６】
この金属膜４は、図１（ｂ）に示すように、遮光膜３と、遮光膜３が除去された溝部２２の上面２４の透過領域１５と、に形成される。この透過領域１５に形成された金属膜４が表示パターン１００を形成している。従ってパネル２が透明な部材であることから表示パネル１は、金属膜４によって金属調の表示パターン１００を有することとなる。
【００２７】
（表示パネル１の製造方法について）
図２（ａ）〜図２（ｄ）は、実施の形態に係る表示パネルの製造工程の一例を示す概略図である。以下では、表示パネル１の製造方法について説明する。
【００２８】
図２（ａ）に示すように、表示パターン１００に基づいてパネル２の裏面２１に溝部２２を形成する。
【００２９】
次に図２（ｂ）に示すように、光を遮光する遮光膜３の材料を裏面２１に塗布して裏面２１と溝部２２上に遮光膜３を形成する。
【００３０】
次に図２（ｃ）に示すように、溝部２２の上面２４の遮光膜３を除去して光を透過する透過領域１５を形成する。この除去によって、次の工程で形成される金属膜４がパネル２の上面視において視認可能となる。
【００３１】
次に図２（ｄ）に示すように、少なくとも透過領域１５に金属膜４を形成して表示パネル１を得る。本実施の形態では、金属膜４は、透過領域１５のみならず、遮光膜３上にも形成される。
【００３２】
（実施の形態の効果）
本実施の形態に係る表示パネル１は、優れた立体的な金属調の加飾を作成することができる。具体的には、表示パネル１は、表示パターン１００の背景１０１となる裏面２１の遮光膜３と、表示パターン１００となる透過領域１５の金属膜４との距離が離れているので、立体的な加飾が得られる。また表示パネル１は、遮光膜３が溝部２２の側面２３に形成されているので、パネル２の表面２０又は裏面２１から入射する光が側面２３で反射、又は側面２３を透過するのを抑制し、側面に遮光膜がない場合と比べて、透過領域１５に形成された金属膜６の輪郭、つまり表示パターン１００の輪郭がはっきりとして優れた立体的な金属調の加飾が得られる。
【００３３】
また変形例として表示パネル１は、金属膜４が光を透過しなくても、パネル２の表面２０側から入射した光が遮光膜３で吸収されると共に、透過領域１５の金属膜４によって反射するので、裏面２１側から照明しなくても立体的な金属調の加飾が得られる。
【００３４】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００３５】
１…表示パネル
２…パネル
３…遮光膜
４…金属膜
５…光
６…金属膜
１５…透過領域
２０…表面
２１…裏面
２２…溝部
２３…側面
２４…上面
１００…表示パターン
１０１…背景
【図１】
0006270062.tif 000002
【図２】
0006270062.tif 000003